(57)【要約】【課題】ゴルフのキャディバッグの高さのある口枠部に引き手部を設けて傾けて走行移動させることができるキャディバッグの開発を課題とする。【解決手段】キャスター付きキャディバッグにおけるメイングリップ（１９）の反対側になる口枠部（８）の側面に、水平方向の握り部（２８Ｂ−２）を備えた硬質材からなる引き手部（２８）を可動に或は固定して設けた。引き手部（２８）は所定の長さを有し、軸受である取付け部の庇状部で可動範囲を制限され、所定傾斜角度で停止する。【選択図】図４
2010142382.tif 000002
【特許請求の範囲】
【請求項１】
底部キャスターの取付け側に背面側収納部が設けられたキャスター付きのキャディバッグにおいて、キャスターの取付け側の上方で口枠部の側面に、水平方向の握り部とその支持杆とからなる平面視で略Ｕ状の形状で、上下方向へ回動自在に軸支された硬質材製の引き手部を設けたことを特徴とするキャディバッグ。
【請求項２】
前記引き手部は、その取付け位置の水平方向から好ましくは上方へ１０度〜５０度の範囲のなかに停止することを特徴とする請求項１に記載のキャディバッグ。
【請求項３】
前記引き手部は、取付け部と左右の支持杆を有する握り部から構成され、取付け部は口枠部曲面にフィットする背面形状で口枠部に固定される左右対称の軸受基台であり、中間にロゴ取付け溝を設け、左右に支持杆差し込み受け部を設け、支持杆差し込み受け部は左右の支持杆を差し込んで可動部接合ビスで軸支し、かつ支持杆の可動角度を制限する庇状部を有することを特徴とする請求項１又は請求項２のいずれかに記載のキャディバッグ。
【発明の詳細な説明】
【技術分野】
【０００１】
本発明は、ゴルフのキャディバッグに関する。
【背景技術】
【０００２】
図１や図２に示すようなキャディバッグは、重量が十数キロにもなる。
【０００３】
図１は、出願人開発の従来型キャディバッグである。
メイングリップ（７）を設け、メイングリップ（７）と背面側収納部（３）の上方に把持テープ（１９）を縫着している。
【０００４】
図２は、従来型のキャスター付キャディバッグとその使用状態図である。
キャディバッグ底にキャスターが付いたモデル（図２−ａ）は、伸縮式の握り部（２５）を延ばし引いて用いることで、比較的楽に移動させる事が出来る。
移動時は（図２−ｂ）のような引っ張りスタイルになる。
【０００５】
キャディバッグの握り部に関する技術文献は、以下の特許文献のように、メイングリップ（７）と伸縮式の握り部（２５）の構造が多い。
伸縮式の握り部（２５）は、背袋表生地（２７）に支持杆用貫通孔（２６）を設けて支持杆（２４）がその貫通孔（２６）を通って伸縮する。
【０００６】
【特許文献１】特許３１７９７７４号公報「ゴルフバッグ」
【特許文献２】実公昭５０−０２１４８８号公報「キャスター付きゴルフバッグ」
【発明の開示】
【発明が解決しようとする課題】
【０００７】
しかし、上記のような伸縮式の握り部（２５）の構造は、背面側収納部（３）自体の空間が使われて、収納するスペースが縮小されてしまう。
【０００８】
また、握り部（２５）がバッグ本体の開口部に近接することになり、握り部（２５）や延伸した支持杆（２４）にクラブヘッドが接触して、手を痛めたり、ゴルフヘッドが傷ついたりする不具合がある。
【０００９】
伸縮式の握り部（２５）のような牽引手段は、キャディバッグの背面側収納部（３）内に設置されており、それら牽引手段構造（２３）（２４）（２５）等はキャディバッグ本体（１）と支持杆取付け部（２２ａ）（２２ｂ）により金属のビスやカシメ金具等によって接合されている。
【００１０】
伸縮式の握り部（２５）を設けるには背袋表生地（２７）に支持杆用貫通孔（２６）を作らなければならず、製造工程上も負担が増える事になっていた。
【００１１】
また、支持杆部材（２２ａ）（２２ｂ）（２３）は背面側収納部（３）の収納容積に占める割合が大きく、収納に使用できる容積を小さくしている。
【００１２】
さらに、キャディバッグを少し移動させる時はメイングリップ（７）を持ち図１８のように移動させるが、メイングリップ（７）を持ち上げると図中（★）方向に動くのでバランスを崩し易く、腕への負担も大きい。
【００１３】
出願人は、図１のように、背面側収納部（３）の上端に把持テープ（１９）を縫着したものを開発している。
キャディバッグを持ち上げるときには、補助的手がかりとなる。
しかし、この把持テープ（１９）は、布生地を縫製してテープにして背面側収納部（３）の上端縁に縫着された短いかたちである。
把持テープ（１９）は牽引に適せず、上方以外の方向では、持ったときに手の甲や爪先等の手の部位がキャディバッグに接触してしまい力の入れる方向に限定があった。
【００１４】
本発明が解決しようとする具体的課題は、以下の通りである。
キャスター付キャディバッグにおいて、バッグを傾斜させた状態で牽引機能を有するより簡易な引き手部を案出し、収納スペースを占有しないコンパクトな構成とすることを課題とする。
【課題を解決するための手段】
【００１５】
ここに本発明は底部キャスターの取付け側に背面側収納部が設けられたキャスター付きのキャディバッグにおいて、キャスターの取付け側の上方で口枠部の側面に、水平方向の握り部とその支持杆とからなる平面視で略Ｕ状の形状で、上下方向へ回動自在に軸支された合成樹脂等の硬質材製の引き手部を設けたことを特徴とするキャディバッグを提案する。
【００１６】
引き手部の位置は、キャスターの取付け側の上方で口枠部の側面という位置に設けた特徴があり、支持杆があることでバッグから距離を維持できる。
背面側収納部（３）はそのままで、従来の図２ような伸縮式の握り部（２５）は装置されていない。
【００１７】
引き手部は、折れて収納され、立ち起こして使用される。
口枠部に固定された支持杆差し込み受け部の構造的意味は、口枠部の表面に取付けられている構造や、口枠部に凹室を形成してその内部に取付ける構造も含む。
【００１８】
口枠部の側面に設けられた引き手部は、支持杆差し込み受け部に支持杆を隙間を設けて上下方向への回動時の摩擦負荷を軽減して軸支するとともに、支持杆の中途に平坦な面を形成した段差調整突起を設けて、引き手部を立ち起こしたときに、前記支持杆差し込み受け部に段差調整突起が面接触して、破損防止と可動限界を形成している。
【００１９】
引き手部は、立ち起こしたときに、その取付け位置の水平方向から上方へ９０度の回動範囲のなかに位置（停止）するように設けられる。
停止位置は、支持杆差し込み受け部に軸支点より突き出た庇状部のある支持杆差し込み受け部を設け、引き手部の支持杆を差込んで軸支して回動範囲を決めることができる。
取付け位置の水平方向から好ましくは実験側に基づく１０度〜５０度の角度範囲内に停止位置があること、さらに好ましくは２０度位に停止位置がある可動限界を設定する。
【００２０】
この構成の引き手部は、口枠部の側面に位置するので、フード本体に口枠部側面の引き手部が露出する切欠きを設け、フードを取付けた状態で前記フードの切欠きから引き手部を立ち起こせるようにしている。
【００２１】
キャスター付きキャディバッグは傾斜させると自然とキャスターが接地し、かつ引き手部は所定傾斜角度で停止し、引き手部を握ってもゴルフクラブヘッドに当たることなく、牽引移動することができる。
【発明の効果】
【００２２】
本発明は前記の構成であり、次の技術的効果がある。
引き手部がコンパクトで堅固に水平方向の握り部として取付けられ、背面側収納部の収納スペースを使用することもなく、ゴルフクラブとの接触がない傾斜で上方に引き出せる。
【００２３】
牽引構造部材が背袋内部に配置されていないので従来型の（図２−ａ）のような容積不足形態には成らず、背袋収納空間を十分に確保出来る。
【００２４】
本発明の引き手部を利用すると（図１９）のようにメイングリップ（７）を握り、背面側口枠部（８）に取付けてある口枠部取付け式の引き手部に手を添えて持ち上げる事で、ほぼ同じ状態での位置移動が可能で、なおかつ引き手部が樹脂製の堅固な物なので安定して移動させる事が出来る。
【００２５】
引き手部は、キャディバッグの上方にあって、硬質材製の比較的短い支持杆と幅のあまり広くない握り部であるので、握る力にロスがなく、移動中でも横ぶれも少なく、バッグが左右にぶれることもない。
【発明を実施するための最良の形態】
【００２６】
本発明を、以下の実施例１、実施例２，実施例３、実施例４、で最良の形態を説明する。
【実施例１】
【００２７】
実施例１は、図３、図４、図６、図７、図１１〜図１５、図１７、図１９に示すキャディバッグ（１）で、口枠部（８）の側面に、水平方向の握り部（２８Ｂ−２）を備えた合成樹脂製の硬質材からなる引き手部（２８）を可動に設けたキャディバッグである。
従前同様に、正面側収納部（２）、背面側収納部（３）、円筒形収納部（４）、を備え、メイングリップ（７）を設け、底巻き（５）で樹脂製底材（６）を貼った底部（２０）にキャスター（２１）を設けている。
又、着脱自在のフード（１０）を備えているが、フード（１０）には、フードマチ（１１）の側面に引き手部用切り欠き（１２）を設けている。
引き手部用切り欠き（１２）は、立ち起こした引き手部（２８）をもって牽引動作するときに支障がない程度の大きさで、実施例１では引き手部（２８）と相似形のＵ状としている。
【００２８】
実施例１は、図３、図４のように、メイングリップ（７）を有するキャディバッグ（１）で、底部（２０）にキャスター（２１）を設けるとともにそのキャスター（２１）の取付け側に背面側収納部（３）を設けたキャスター付きのキャディバッグ（１）において、メイングリップ（７）の反対側になり、キャスター（２１）の取付け側の上方で、口枠部（８）の側面に、水平方向の握り部（２８Ｂ-２）を備えた硬質材からなる引き手部（２８）を可動に設けたものである。
【００２９】
引き手部（２８）を口枠部（８）に設けたことを特徴とするが、口枠部（８）とは口枠トップ（９）から口枠ハチマキ（３３）を含む迄の間の周面全部（前後左右）を指す。
【００３０】
引き手部（２８）は、大きく分けて取付け部（図１１〜図１３）と引き手部（図１４）の２つのパーツから構成されている。
取付け部（２８Ａ−１）は、口枠部（８）曲面にフィットする背面形状で、口枠部（８）に固定する取付け用穴（２８Ａ−２）を４個所設けた左右対称の軸受基台であり、中間にロゴ取付け溝（２８Ａ−６）を設け、左右に支持杆差し込み受け部（２８Ａ−４）を設け、この支持杆差し込み受け部（２８Ａ−４）を横に貫通する接合孔（２８Ａ−３）を設けた構造である。
【００３１】
図１６中、支持杆差し込み受け部の断面（２８Ａ−５）は、支持杆差し込み受け部（２８Ａ−４）が後述する引き手部（２８）の左右の支持杆（２８Ｂ−１）を差し込んで可動部接合ビス（３０）で軸支し、支持杆（２８Ｂ−１）の可動角度を制限する庇状部を有する肉厚頑丈な構造であることを示している。
口枠部（８）の側面に固設された取付け部（２８Ａ−１）の支持杆差し込み受け部（２８Ａ−４）に取付けられる引き手部（２８）は、略Ｕ状の握り部（２８Ｂ−２）と支持杆（２８Ｂ−１）とからなり、支持杆（２８Ｂ−１）の端部に可動部接合孔（２８Ｂ−３）を備えている。
可動部接合孔（２８Ｂ−３）は可動部接合ビス（３０）で留められ、上下方向へ回動自在に軸支される。
支持杆（２８Ｂ−１）の差し込まれた上部には段差調整突起（２８Ｂ−４）が設けられている。
【００３２】
取付け部（図１１〜図１３）と引き手部（図１４）の２つのパーツ素材はそれぞれ合成樹脂と言われる硬質材であるプラスチック材等で出来ており、取付け部（２８Ａ−１）は、取付け用穴（２８Ａ−２）を使って本体取付けビス（２９）によりキャディバッグの口枠部（８）に固定接続されている。
【００３３】
図１１〜図１３に示す取付け部（２８Ａ−１）と図１４に示す引き手部（２８）の接合には取付け部側の支持杆差し込み受け部（２８Ａ−４）に引き手部（２８）の支持杆（２８Ｂ−１）を差込み、それぞれのビス用の穴（２８Ａ−３）と（２８Ｂ−３）を使って、可動部接合ビス（３０）で繋がれている。
【００３４】
可動部接合ビス（３０）は取付け部（２８Ａ−１）と引き手部（２８）の支持杆（２８Ｂ−１）を繋ぐ為の金具ビス（軸支）であり、固定する為の物では無いので使用に際して、この可動部接合ビス（３０）を軸として引き手部（２８）は上下に回動自在に軸支される。
【００３５】
上記の可動状況は、図１５、図１６、図１７のようになる。
図１５は口枠部取付け式の引き手部（２８）を側面図で図示しており、取付け部（２８Ａ−１）の可動接合ビス（３０）を軸として支持杆（２８Ｂ−１）が上下方向に回動している様を示している。
図１５〜図１７の右上がりの傾斜位置は、キャスター機能を利用する際に可動させた時の取付け部（２８Ａ−１）と支持杆（２８Ｂ−１）の関係を断面図で示している。
図１５〜図１７の右上がりの傾斜位置は、停止位置でもある。
実施例では、取付け位置の水平方向から上向き傾斜で約２０度を停止位置にしている。
【００３６】
支持杆差し込み受け部（２８Ａ−５）とそこに差し込まれた支持杆（２８Ｂ−１）の可動部接合孔（２８Ｂ−３）と取付け部（２８Ａ−１）の可動部接合孔（２８Ａ−３）を合わせ、可動部接合ビス（３０）を差込み、これを軸として支持杆（２８Ｂ−１）を回動させる。
図１６は、支持杆差し込み受け部（２８Ａ−５）の庇状部分に支持杆（２８Ｂ−１）が当接する状態の説明図である。
図１６左図（ア）のように接合する実施態様では、実際の回動では、支持杆（２８Ｂ−１）と支持杆差し込み受け部（２８Ａ−５）の一部が、きっちりと接しているので（接！部）図面上では問題は出てこないが、実際の使用に際してはその接触による摩擦負荷で上下可動がややスムーズに行われない製品の発生余地がある。
【００３７】
そこで、図１６右図（イ）のように支持杆（２８Ｂ−１）と支持杆差し込み受け部（２８Ａ−５）の間に小さな隙間を設けて上下可動時の摩擦負荷を軽減するが、その構造上、上げた時に支持杆（２８Ｂ−１）の一部が線状接触で支持杆差し込み受け部（２８Ａ−５）の角にあたり、支持杆（２８Ｂ−１）の一部に線接触で加重されるので図中※部で支持杆（２８Ｂ−１）が破断し易くなる。
【００３８】
そこでさらに図１７の実施例のように支持杆（２８Ｂ−１）に段差調整突起（２８Ｂ−４）を設けると、支持杆（２８Ｂ−１）と支持杆差し込み受け部（２８Ａ−５）は、面接触となり、図１６右図（イ）の問題を解決出来る。
使用に際しての必要な角度は、図１７で示すように、引き手部（２８）の傾斜する角度Ｘ度は、Ｘ度＞９０度になる。
図示実施例では、Ｘ＝１１０度に設計している。
【００３９】
図７（ア）は、フード（１０）を装着して牽引している図であり、ある程度の高さがある位置で引き手部（２８）を握って、移動させるスタイルを表している。
【００４０】
図７（イ）は、牽引している時の口枠部（８）（９）と口枠部取付け式引き手部（２８）とショートアイアンクラブ（１５）と引き手部（２８）を握っている使用者の手（３１）の関係を表しており、
図７（ア）はフード（１０）を装着している場合で、不具合は特にない状況。
図７（イ）はフード（１０）を装着しない場合で、引き手部（２８）の寸法や角度が不適正で手が当たっている状況。
図７（ウ）はフード（１０）を装着しない場合で、手が当たらないように引き手部（２８）を長めと適性角度に構成して、不具合を解消した状況。
をそれぞれ図示している。
【００４１】
図７（イ）の状況の原因は、口枠トップ（９）の縁からショートアイアンクラブ（１５）が平均して８０〜９０ｍｍ程度外に出ているのに、引き手部（２８）の寸法や角度が不適正である為である。
図７（ウ）は、図７（イ）の不具合を解消した図であり、引き手部（２８）の角度が適性で、又引き手部（２８）が適正な長さがあるときは、円内拡大図のように不具合が解消されることを示している。
【００４２】
上述の内容からショートアイアンクラブ（１５）の飛び出し寸法より引き手部（２８）が長ければ良いのであるが、あまり長すぎるとキャディバッグとの距離が大きくなり牽引時のバランスが悪くなる。
実施例１では、ベストな長さは可動接合ビス（３０）から握り部（２８Ｂ−２）がある支持杆（２８Ｂ−１）の端迄で９０ｍｍの長さとした。
【００４３】
この長さは、９０〜２００ｍｍの長さでも可能である。但し本発明は長さを限定するものではない。
【００４４】
上記範囲の寸法であれば最短の９０ｍｍでも不具合はなくなり、取付け部（２８Ａ−１）の厚み２０〜３０ｍｍと合わせるとショートアイアンクラブ（１５）の飛び出し寸法を十分カバー出来る。
【００４５】
図５において、
口枠部（８）の幅をはみ出しているが、引き手部（２８）、支持杆（２８Ｂ−１）を最長で設定した場合には破線で表現した引き手部最長（３２）でもよい。
【実施例２】
【００４６】
実施例２は、図５に示すもので、引き手部（２８）の支持杆（２８Ｂ−１）を伸縮自在な構成としたキャディバッグである。この支持杆（２８Ｂ−１）を伸縮自在にする構成は、後述の実施例３，実施例４にも応用できる。
【実施例３】
【００４７】
実施例３は、図８、図１１〜図１５、に示すもので、口枠部（８）の側面に凹室を形成してその内部に実施例１と同様な構造の引き手部（２８）を設けたキャディバッグである。
実施例３における引き手部（２８）は、口枠部（８）の幅内に収まる長さになる。凹室を形成する場合、円筒形収納部（４）の内部空間にあまり影響がない構造であることが大切である。
支持杆（２８Ｂ−１）を伸縮式構造にすると、収納時短く、取り出して傾斜位置ではある程度延ばした長さで使用できる。
【実施例４】
【００４８】
実施例４は、図９の概略概念図のように実施例３の変形例で、口枠部（２８）の側面に凹室を形成してその内部に略口状の引き手部（２８）を軸支したもので、軸部も握り部として使用できる構造である。
２個所の握り部を有する引き手部（２８）になる。
【００４９】
さて、口枠部（８）に取付けられた引き手部（２８）の可動にすべき角度と、停止する角度範囲は、重要な特徴のひとつである。
図２０（ア）は引き手部（２８）を１８０度の可動範囲に設計したものである。
図２０（ア）は、ある程度の長さをもって構成する場合では手の甲が当接することもなく、１８０度の可動範囲での取付けでも使用に支障のない構造となる。
但し、あまり長くない引き手部（２８）では、傾斜して停止する角度範囲は、図中の小丸模様の範囲内（水平位置から上方へ９０度の範囲）が好ましい。
図２０（イ）は図１１で示す取付け部（２８Ａ−１）を上下逆に取付けたものであり、引き手部（２８）が水平位置から上方へ９０度可動にしたものである。
この図２０（ア）（イ）は、図中小丸模様記入の角度範囲内のいずれかの角度で停止する構造が、特徴であることを示している。
【００５０】
図２０（ウ）は、固定型の引き手部（２８）で、水平位置から上方へ９０度の範囲のうちのいずれかの角度で固定したものであることを表した説明図である。
【００５１】
キャディバッグ口枠トップ（９）を０°、口枠ハチマキ（３３）を１８０°として、握り部（２８Ｂ−２）へ繋がる支持杆（２８Ｂ−１）の伸び角度は９０°以内での所定角度で停止する構造であるということになる。
そして、停止する角度は、取付け位置の水平方向から好ましくは実験側に基づく１０度〜５０度の角度範囲内に停止位置があること、さらに好ましくは２０度〜４５度の角度範囲内に停止位置があるのが使い易い。
【産業上の利用可能性】
【００５２】
本発明は、重量のある縦長で高さのあるバッグや容器であれば、強度に優れた引き手部として利用することが可能である。
【図面の簡単な説明】
【００５３】
【図１】従来型のキャディバッグで、側面図とフードを外した斜視図である。
【図２】従来型の伸縮式の牽引手段を装置したキャスター付きキャディバッグで、側面図とフードを外した斜視図（図２−ａ）と従来型のキャスター付きキャディバッグ使用スタイル（図２−ｂ）。
【図３】本発明に係るキャスター付きキャディバッグの実施例１を示すもので、引き手部を立ち起こした状態で、側面図とフードを外した斜視図である。
【図４】本発明に係るキャディバッグの実施例１を示すもので、引き手部を下方に折った状態での、側面図とフードを外した斜視図である。
【図５】本発明に係るフード装着したキャスター付きキャディバッグの実施例２を示すもので、長い引き手部、又は引き手部の支持杆を伸縮自在な構成として点線で示す最長延伸状態を示すもので、引き手部側から見た正面図である。
【図６】本発明に係るキャスター付きキャディバッグの実施例１・実施例２において、傾斜して引き手部を持つ使用状態を示すものである。
【図７】引き手部の使用状態を説明するもので、フードを装着していない場合や、引き手部の長さが十分でない場合や、角度が無制限である場合の使用における不具合の説明図と改良した引き手部の説明図である。図７（ア）はフードを装着して傾斜状態で引っ張っている場合で、とくに不具合がない状態図。図７（イ）は、フードを装着していない場合で引き手部の角度が大きすぎるか或いは引き手部が短い場合の不具合を示す説明図。図７（ウ）は、フードを装着していない場合でも引き手部の角度が適性で又引き手部が長さがあるように改良した実施例で、拡大図のように不具合が解消されることを示している。
【図８】本発明に係るキャディバッグの実施例３を示すもので、口枠部の側面に凹室を形成してその内部に実施例１と同様な構造の引き手部を設けたもの一部正面図である。
【図９】本発明に係るキャディバッグの実施例４を示すもので、口枠部の側面に凹室を形成してその内部に平面視で口状の引き手部を上方握り部を軸支して可動に設けたものの一部正面図である。
【図１０】一般的にキャディバッグに収納するゴルフ用品の説明斜視図である。
【図１１】引き手部（取付け部と握り部）の全体斜視図である。
【図１２】引き手部のジョイント部を示す一部斜視図。
【図１３】取付け部の正面図、側面図、平面図。
【図１４】引き手部の握り部の正面図、側面図、平面図。
【図１５】引き手部の回動状態を説明するもので、引き手部の可動を説明する側面図。
【図１６】図１５の引き手部の可動部において、支持杆差し込み受け部と支持杆の接触による不具合を示す断面図。図１６（ア）は接触し過ぎる場合で摩擦負荷が大きく不具合が生じる説明図、図１６（イ）は間隙をおいた場合に衝撃点（局所的負荷）が発生する不具合を説明する比較図面である。
【図１７】本発明に係るキャディバッグの実施例１〜実施例４で採用されるもので、支持杆差し込み受け部と引き手部の支持杆の関係を示す説明図。間隔をおいて接触を少なくしながら衝撃点を衝撃面に変えて耐久性を向上している説明図である。
【図１８】メイングリップのみが付いたキャディバッグを持つときのスタイルを表す状態図
【図１９】本発明に係るキャディバッグを持ち上げるときに採用できる持ち方を表すスタイル。
【図２０】本発明に係るキャディバッグの引き手部の少なくとも位置すべき角度表示を示したもので、図２０（ア）は１８０度の可動範囲、図２０（イ）は取付け部を逆に取付けたもので水平位置から上方へ９０度の可動範囲、図２０（ウ）は、固定型の引き手部で、水平位置から上方へ９０度の範囲に位置する固定式のものを表した説明図である。いずれもその位置で固定されることを表している。
【符号の説明】
【００５４】
１          キャディバッグ
２          正面側収納部
３          背面側収納部
４          円筒形収納部
５          底巻き
６          樹脂製底材
７          メイングリップ
８          口枠部
９          口枠トップ
１０        フード
１１        フードマチ
１２        引き手部用切り欠き
１３        ドライバークラブ
１４        ロングアイアンクラブ
１５        ショートアイアンクラブ
１６        使用ボール、予備ボール、ティー等
１７        シューズ袋
１８        レインウエアー
１９        把持テープ
２０        底部（キャスター付き樹脂製底材）
２１        キャスター
２２ａ      従来のキャディバッグの支持杆取付け部（上側）
２２ｂ      従来のキャディバッグの支持杆取付け部（下側）
２３        従来のキャディバッグの支持杆収納筒部
２４        従来のキャディバッグの支持杆
２５        従来のキャディバッグの取手握り部
２６        従来のキャディバッグの支持杆用貫通孔
２７        背袋表生地面
２８        引き手部（口枠部取付式）
２８Ａ−１  取付け部
２８Ａ−２  取付け用穴
２８Ａ−３  支持杆の可動部接合孔（本体側）
２８Ａ−４  支持杆差し込み受け部  
２８Ａ−５  支持杆差し込み受け部の断面
２８Ａ−６  ロゴ取付け溝
２８Ｂ−１  支持杆
２８Ｂ−２  握り部
２８Ｂ−３  支持杆の可動部接合孔（支持杆側）
２８Ｂ−４  段差調整突起
２９        取付けビス
３０        可動部接合ビス
３１        使用者の手
３２        引き手部最長
３３        口枠ハチマキ
線状加重部
【図１】
2010142382.tif 000003
【図２】
2010142382.tif 000004
【図３】
2010142382.tif 000005
【図４】
2010142382.tif 000006
【図５】
2010142382.tif 000007
【図６】
2010142382.tif 000008
【図７】
2010142382.tif 000009
【図８】
2010142382.tif 000010
【図９】
2010142382.tif 000011
【図１０】
2010142382.tif 000012
【図１１】
2010142382.tif 000013
【図１２】
2010142382.tif 000014
【図１３】
2010142382.tif 000015
【図１４】
2010142382.tif 000016
【図１５】
2010142382.tif 000017
【図１６】
2010142382.tif 000018
【図１７】
2010142382.tif 000019
【図１８】
2010142382.tif 000020
【図１９】
2010142382.tif 000021
【図２０】
2010142382.tif 000022